(57)【特許請求の範囲】
【請求項１】
上下に隣り合う外装材の間に配置される縦断面コ字形の本体部と、本体部の上片と下片の各先端に上下にそれぞれ延設され壁下地に固定される固定片とを備えて形成される外装材施工用ジョイナにおいて、本体部の上片を屋内側へ向けて下り傾斜させて形成すると共に、上片の先端部に水抜き孔を穿設し、上下の各固定片を屋内側へ凸屈曲する屈曲部が横方向の全長に連続する波型形状に形成して成ることを特徴とする外装材施工用ジョイナ。
【請求項２】
上の固定片の屈曲部と下の固定片の屈曲部が上下に一致しないようにずらして形成し、上の固定片の屈曲部の凸屈曲部分において上片に水抜き孔を穿設して成ることを特徴とする請求項１に記載の外装材施工用ジョイナ。
【発明の詳細な説明】
【技術分野】
【０００１】
本発明は、外装材を上下に接続する施工に用いられるジョイナに関するものである。
【背景技術】
【０００２】
セメント系の材料などで作製される外装材は、通常、長方形状に形成されるものであり、対向する各長辺には実加工をしてあいじゃくり構造に形成してあるが、各短辺には実加工を施さず、平坦な木口端面として形成する場合が多い。この外装材は横張りで施工することが多いので、このように外装材を横張りする際に、外装材の上辺と下辺に加工した雄実と雌実によって、上下に隣り合う外装材をあいじゃくりで防水性を確保しつつ接続することができるようにしているのである。
【０００３】
一方、このような外装材を縦張りで施工することもあり、このように縦張りするばあいには、外装材の上辺と下辺は平坦な木口端面になっているために、ジョイナを用い、上下に隣り合う外装材の接続部の防水性を確保するようにしている（例えば特許文献１等参照）。
【０００４】
図４はジョイナＡを用いて外装材１を上下に接続する施工の一例を示すものであり、ジョイナＡとして、縦断面コ字形の本体部２の上片３と下片４の各先端に固定片６，７を上方と下方に延設して形成される、図４（ａ）のようないわゆるハット型ジョイナを用いた例を示すものである。ジョイナＡは、柱１５の屋外側に掛け渡して取り付けた胴縁１６などで形成される壁下地５の屋外面に水平に配置して固定片６，７によって固定されるものであり、図４（ｂ）に示すように、下の外装材１の上端面と上の外装材１の下端面との間にコ字形断面の本体部２が差し込まれるようになっている。そして、下の外装材１の上端面と上の外装材１の下端面とジョイナＡの本体部２の前面片１７との間に形成される、屋外側へ開口するコ字形空間にシーリング材１８を充填することによって、上下に隣り合う外装材１の接続部の防水性を確保した施工を行なうことができるものである。
【特許文献１】特開平６−１３６９２９号公報
【発明の開示】
【発明が解決しようとする課題】
【０００５】
上記の図４（ｂ）ように外装材１を施工して形成される外壁において、外装材１の背面側は通気のための空間になっており、外壁開口部から進入した雨水や、外装材１の背面に付着する結露水は、外装材１の背面に沿って矢印のように流れ、外壁の下端部から排出されるようになっている。
【０００６】
しかし、このように外装材１の背面を流下する水が、上の外装材１の背面とジョイナＡの上の固定片６の間に入ると、シーリング材１８が充填されているために水はこれ以上流下することができず、水ＷはジョイナＡの本体部２の上片３の上面に滞留することになって、図４（ｂ）のように上の外装材１の下端面がこの水Ｗに浸漬されることになる。このように外装材１の下端面が水に浸漬されると、外装材１内に水が吸水されるものであり、特に上の外装材１は寸法合わせのために切断されていることが多く、切断された下端面から水が吸水され易くなっている。
【０００７】
そしてこのように外装材１に水が吸収されると、冬期においてこの吸収された水が外装材１内で凍結し、外装材１がひび割れするなどの凍害が発生するおそれがあるという問題があった。
【０００８】
本発明は上記の点に鑑みてなされたものであり、水の滞留を防ぐことができると共に外装材の下端面に水が接触することを防ぐことができ、外装材に凍害が発生することを未然に防ぐことができる外装材施工用ジョイナを提供することを目的とするものである。
【課題を解決するための手段】
【０００９】
本発明に係る外装材施工用ジョイナは、上下に隣り合う外装材１，１の間に配置される縦断面コ字形の本体部２と、本体部２の上片３と下片４の各先端に上下にそれぞれ延設され壁下地５に固定される固定片６，７とを備えて形成される外装材施工用ジョイナＡにおいて、本体部２の上片３を屋内側へ向けて下り傾斜させて形成すると共に、上片３の先端部に水抜き孔８を穿設して成ることを特徴とするものである。
【００１０】
この発明によれば、ジョイナＡの固定片６と外装材１の背面との間に水が入っても、この水は水抜き孔８から排出されるものであり、また本体部２の上片３は傾斜しているために外装材１の下端面と上片３の間に隙間が形成されており、上片３の上の水が外装材１の下端面に接触することを防ぐことができ、外装材１に下端面から水が吸収されることを防ぐことができる。
【００１１】
また、上下の各固定片６，７を屋内側へ凸屈曲する屈曲部９が横方向の全長に連続する波型形状に形成して成ることを特徴とするものである。
【００１２】
この発明によれば、屈曲部９によってジョイナＡの固定片６，７と壁下地５との間に隙間を形成することができ、固定片６，７と壁下地５との間に毛細管現象で水が滞留し、木質材などで形成される壁下地５が腐食されることを防ぐことができる。
【００１３】
また、上の固定片６の屈曲部９と下の固定片７の屈曲部９が上下に一致しないようにずらして形成し、上の固定片６の屈曲部９の凸屈曲部分において上片３に水抜き孔８を穿設するのが好ましい。
【００１４】
この発明によれば、上片３の水抜き孔８から排出された水は、下の固定片７の屈曲部９によって壁下地５との間に形成される隙間を通って、下の固定片７でせき止められることなくスムーズに流下させて排出することができる。
【発明の効果】
【００１５】
本発明によれば、ジョイナＡの固定片６と外装材１の背面との間に水が入っても、この水は水抜き孔８から排出されるものであり、また本体部２の上片３は傾斜しているために外装材１の下端面と上片３の間に隙間が形成され、上片３の上の水が外装材１の下端面に接触することを防ぐことができるものであり、外装材１に下端面から水が吸収されることを防いで、外装材１に凍害が発生することを防止することができるものである。
【発明を実施するための最良の形態】
【００１６】
以下、本発明を実施するための最良の形態を説明する。
【００１７】
図２は本発明に係るハット型のジョイナＡの一例を示すものであり、前面片１７と上片３と下片４とから縦断面略コ字形に形成される本体部２と、上片３の屋内側の先端に上方へ屈曲延設される固定片６と、下片４の屋内側の先端に下方へ屈曲延設される固定片７とからジョイナＡを形成するようにしてある。ジョイナＡは例えば金属板を屈曲して横方向に長い長尺体として形成されるものである。このジョイナＡにおいて、本体部２の上片３は屋内側へ向けて下り傾斜する傾斜片として形成してあり、上片３の屋内側先端部から上の固定片６の下端部にかけて水抜き孔８が穿設してある。水抜き孔８はジョイナＡの長手方向に沿って所定の一定間隔で複数個所に形成してある。
【００１８】
このように形成されるジョイナＡを用いて、図１に示すように外装材１の接続施工を行なうことができる。図１において２０は柱などの壁下構造体、２１はこの壁下構造体２０の屋外面に張られた防水シートであり、防水シート２１の屋外面に胴縁などで形成される壁下地５が横方向に取り付けてある。
【００１９】
外装材１は下から順に複数枚並べて取り付けられるものであり、このように外装材１を取り付ける施工を行なう際に、下の外装材１の上端部の背面側に下の固定片７を差し込むと共に上の外装材１の下端部の背面側に上の固定片６を差し込んだ状態で、壁下地５の屋外面にジョイナＡを水平に配置し、下の外装材１から固定片７に通して釘２２を壁下地５に打入すると共に、また上の外装材１から固定片６に通して釘２２を壁下地５に打入することによって、ジョイナＡの固定と外装材１の固定を行なうようにしてある。そして、下の外装材１の上端面と上の外装材１の下端面とジョイナＡの本体部２の前面片１７との間にシーリング材１８を充填することによって、上下に隣り合う外装材１の接続部を防水することができるものである。
【００２０】
このようにジョイナＡで上下に隣り合う外装材１の間の防水性を確保しつつ、上下に外装材１を接続する施工を行なった外壁構造において、外装材１の背面と壁下構造体２０の間に通気用の空間が形成されるものであり、外壁開口部から進入した雨水や、外装材１の背面に付着する結露水は、外装材１の背面に沿って図１の矢印のように流下し、外壁の下端部から排出されるようになっている。
【００２１】
そして外装材１の背面を流下する水の一部が外装材１の背面とジョイナＡの上の固定片６の間に進入しても、この水Ｗは上片３と固定片６の間に設けた水抜き孔８から矢印のように排出されるものであり、本体部２の上片３の上に水Ｗが滞留することがなくなるものである。また、本体部２の上片３は屋内側へ向けて下り傾斜しているため、上片３の上面へと流下した水Ｗはその傾斜によって水抜き孔８へと流れ、水抜き孔８からの水Ｗの排出を効率良く行なうことができるものである。しかもこのように本体部２の上片３は屋内側へ向けて下り傾斜しているため、上の外装材１の下端面には上片３の屋外側の端部が当接するだけであって、上片３の上面と上の外装材１の下端面との間には隙間が形成されることになり、上片３の上へと水Ｗが到ってもこの水Ｗが外装材１の下端面に接触することを防ぐことができるものである。従って、外装材１にその下端面から水が吸水されることを防ぐことができるものであり、外装材１に水が吸収されることによって発生する凍害を防止することができるものである。
【００２２】
図３は本発明の他の実施の形態を示すものであり、図３（ａ）のようにジョイナＡの上下の各固定片６，７を波型形状に屈曲して形成してある。この波型形状は、屋内側へ横断面Ｖ字形に凸屈曲する一定幅の屈曲部９が横方向の全長に連続するように形成されるものである。また上の固定片６と下の固定片７の屈曲部９の幅寸法は等しく形成されるが、上の固定片６の屈曲部９と下の固定片７の屈曲部９はその幅寸法の半分の距離、すなわち半ピッチで水平方向にずらして形成してあり、上の固定片６の屈曲部９と下の固定片７の屈曲部９が上下に揃わないようにしてある。また、上片３の先端から上の固定片６の下端にかけて形成される水抜き孔８は、上の固定片６に形成した屈曲部９の凸屈曲の先端部分に配置して設けられるものである。
【００２３】
このように形成されるジョイナＡを用いて図１と同様に、上下に隣り合う外装材１の間の防水性を確保しつつ、上下に外装材１を接続する施工を行なうことができるものである。そしてこのジョイナＡでは、上下の各固定片６，７を断面Ｖ字形の屈曲部９が連続する波型形状に形成してあるので、図３（ｂ）に示すように、各固定片６，７は屈曲部９の先端が壁下地５に当接した状態で固定されることになり、屈曲部９の先端以外は、各固定片６，７と壁下地５との間に隙間が形成されることになる。従って、固定片６，７と壁下地５との間に毛細管現象で水が滞留することを防ぐことができるものであり、胴縁のように木質材などで形成される壁下地５が吸水して腐食し易くなることを防ぐことができるものである。
【００２４】
また、外装材１の背面とジョイナＡの上の固定片６の間に進入した水は、上の固定片６の屈曲部９の凸屈曲の先端部分に配置した水抜き孔８から排出されるが、上の固定片６の屈曲部９に対して下の固定片７の屈曲部９を横方向にずらしてあるので、水抜き孔８の直下には下の固定片７の隣合う屈曲部９の間の部分が位置することになり、この隣合う屈曲部９の間の部分には壁下地５との間に隙間が形成されている。従って、固定片６の水抜き孔８から排出された水は、下の固定片７の隣合う屈曲部９の間の部分において壁下地５との間に形成される隙間を通って流下するものであり、水をスムーズに流下させて排出することができるものである。
【図面の簡単な説明】
【００２５】
【図１】本発明の実施の形態の一例の施工状態を示す縦断面図である。
【図２】同上のジョイナを示すものであり、（ａ）は一部の斜視図、（ｂ）は正面図、（ｃ）は背面図、（ｄ）は縦断面図である。
【図３】本発明の他の実施の形態の一例を示すものであり、（ａ）はジョイナの一部の斜視図、（ｂ）は施工状態を示す横断面図である。
【図４】従来例を示すものであり、（ａ）ジョイナの一部の斜視図、（ｂ）は施工状態の縦断面図である。
【符号の説明】
【００２６】
１  外装材
２  本体部
３  上片
４  下片
５  壁下地
６  固定片
７  固定片
８  水抜き孔
９  屈曲部
【図１】
0004778341.tif 000002
【図２】
0004778341.tif 000003
【図３】
0004778341.tif 000004
【図４】
0004778341.tif 000005